(57)【要約】【課題】厨房排水に含まれている厨芥や油脂分を、異臭を拡散させずに処理することができ、かつ小型化が容易な構成の厨房排水処理装置を提供する。【解決手段】シンク部と、シンク部の下方に配置されているグリーストラップ部と、厨芥減容処理部とを有する。シンク部は、底部に厨房排水を排出する排水口を備える。グリーストラップ部は、厨房排水に含まれる厨芥を回収する厨芥回収領域と、厨房排水に含まれる油脂分と水分とを分離する油水分離領域とを備える。厨芥減容処理部は厨芥回収領域で回収された厨芥の投入口と、減容化された厨芥の処理残渣を外部に取り出す処理残渣排出口とを備える。厨芥減容処理部の処理残渣排出口と、グリーストラップ部とを接続する連結管を備える。【選択図】図２
2020151687.tif 000002
【特許請求の範囲】
【請求項１】
厨芥と油脂分と水分とを含む厨房排水を処理するための厨房排水処理装置であって、
シンク部と、前記シンク部の下方に配置されているグリーストラップ部と、厨芥減容処理部とを有し、
前記シンク部は、底部に前記厨房排水を排出する排水口を備え、
前記グリーストラップ部は、前記厨房排水に含まれる前記厨芥を回収する厨芥回収領域と、前記厨芥回収領域にて前記厨芥が回収された前記厨房排水に含まれる前記油脂分と前記水分とを分離する油水分離領域と、前記油水分離領域で分離された前記水分を外部に取り出す排水管とを備え、
前記厨芥減容処理部は、前記厨芥回収領域で回収された厨芥の投入口と、減容化された厨芥の処理残渣を外部に取り出す処理残渣排出口とを備え、
前記厨芥減容処理部の前記処理残渣排出口と、前記グリーストラップ部とを接続する連結管を備える厨房排水処理装置。
【請求項２】
前記グリーストラップ部は、さらに、固形物を外部に取り出す固形物取出口を備える請求項１に記載の厨房排水処理装置。
【請求項３】
前記連結管の前記グリーストラップ部側の端部は、前記処理残渣を前記厨芥回収領域が受ける位置に配置されている請求項１または２に記載の厨房排水処理装置。
【発明の詳細な説明】
【技術分野】
【０００１】
本発明は、厨房排水処理装置に関する。
【背景技術】
【０００２】
飲食店の厨房から排出される厨房排水は、一般に、厨芥（生ごみ）と、油脂分と、水分を含む。この厨房排水に含まれている厨芥や油脂分が直接下水道に排出されないように、厨房にグリーストラップを設けて、厨房排水から厨芥や油脂分を分離して回収することが行われている。グリーストラップで回収した厨芥や油脂分は、一般に腐敗しやすく、異臭の発生原因となりやすい。このため、回収した厨芥や油脂分は、異臭が拡散しないように速やかに処理することが好ましい。
【０００３】
特許文献１には、厨房排水から回収した厨芥や油脂分を嫌気性細菌で処理して、メタンガスを生成させ、生成したメタンをボイラーや発電に利用する廃棄物処理システムが開示されている。
【先行技術文献】
【特許文献】
【０００４】
【特許文献１】特許第５２０１６８９号公報
【発明の概要】
【発明が解決しようとする課題】
【０００５】
特許文献１に開示されているような廃棄物処理システムを用いて、ボイラーや発電で利用可能な量のメタンガスを得るためには、大量の厨芥や油脂分が必要となる。従って、このような廃棄物処理システムは、食品加工工場やホテルのような大規模な施設においては有用であると考えられる。一方、相対的に厨芥や油脂分の発生量が少ない小規模な飲食店の厨房では、特許文献１に開示されているような廃棄物処理システムを使用するのは現実的ではない。そこで、小規模な飲食店の厨房では、小型でかつ、厨房排水から回収された厨芥や油脂分から発生した異臭が拡散しないように処理できる処理装置が望まれている。
【０００６】
本発明は上記の事情を考慮してなされたものであり、その目的は、厨房排水に含まれている厨芥や油脂分を、異臭を拡散させずに処理することができ、かつ小型化が容易な構成の厨房排水処理装置を提供することにある。
【課題を解決するための手段】
【０００７】
上記課題を解決するため、本発明は以下の手段を採用している。
【０００８】
（１）本発明の一態様に係る厨房排水処理装置は、厨芥と油脂分と水分とを含む厨房排水を処理するための厨房排水処理装置であって、シンク部と、前記シンク部の下方に配置されているグリーストラップ部と、厨芥減容処理部とを有し、前記シンク部は、底部に前記厨房排水を排出する排水口を備え、前記グリーストラップ部は、前記厨房排水に含まれる前記厨芥を回収する厨芥回収領域と、前記厨芥回収領域にて前記厨芥が回収された前記厨房排水に含まれる前記油脂分と前記水分とを分離する油水分離領域と、前記油水分離領域で分離された前記水分を外部に取り出す排水管とを備え、前記厨芥減容処理部は、前記厨芥回収領域で回収された厨芥の投入口と、減容化された厨芥の処理残渣を外部に取り出す処理残渣排出口とを備え、前記厨芥減容処理部の前記処理残渣排出口と、前記グリーストラップ部とを接続する連結管を備える。
【０００９】
上記態様の厨房排水処理装置によれば、シンク部の下方にグリーストラップ部が配置されているので、装置サイズを小さくすることができる。また、取り出した厨芥は、厨芥減容処理部にて速やかに減容化することができるので、厨芥の腐敗による異臭の発生を抑制することができる。さらに、厨芥減容処理部の処理残渣排出口とグリーストラップ部とを接続する連結管を備えるので、作業者が処理残渣に直接触れずに、処理残渣をグリーストラップ部に送ることができる。またさらに、グリーストラップ部に送られた処理残渣は、油水分離領域に貯留されている水分中に堆積しているので、処理残渣の異臭が外部に流出しにくい。このため、処理残渣を比較的長期間保存することができる。
【００１０】
（２）前記（１）の厨房排水処理装置において、前記グリーストラップ部は、さらに、固形物を外部に取り出す固形物取出口を備える構成としてもよい。
【００１１】
上記のような構成とされている厨房排水処理装置では、固形物取出口を介して、厨房排水に含まれる微細な厨芥や厨芥減容処理部にて生成した処理残渣を比較的容易に外部に取り出すことができる。
【００１２】
（３）前記（１）または（２）の厨房排水処理装置において、前記連結管の前記グリーストラップ部側の端部は、前記処理残渣を前記厨芥回収領域が受ける位置に配置されている構成としてもよい。
【００１３】
上記のような構成とされている厨房排水処理装置では、減容化が不十分な粗大な処理残渣を厨芥回収領域で回収することができ、回収した処理残渣を厨芥減容処理部において再度減容化することができ、これによって確実に厨芥を減容化することができる。
【発明の効果】
【００１４】
本発明によれば、厨房排水に含まれている厨芥や油脂分を、異臭を拡散させずに処理することができ、かつ小型化が容易な構成の厨房排水処理装置を提供することが可能となる。
【図面の簡単な説明】
【００１５】
【図１】本発明に係る一実施形態の厨房排水処理装置の平面図である。
【図２】図１のII−II線断面図である。
【図３】図１に示す厨房排水処理装置の右側面図である。
【図４】図１に示す厨房排水処理装置のシンク部を分離した状態であり、グリーストラップ内の液体の流れを説明する平面図である。
【発明を実施するための形態】
【００１６】
以下、本発明に係る一実施形態の厨房排水処理装置について図面を参照して説明する。
本実施形態の厨房排水処理装置は、例えば、飲食店にて発生した厨房排水の処理に利用される。厨房排水は、一般に厨芥（生ごみ）と油脂分と水分を含む。本実施形態の厨房排水処理装置は、厨房排水に含まれている厨芥を回収し、回収した厨芥を減容化する機能を有する。
【００１７】
図１は、本発明に係る一実施形態の厨房排水処理装置の平面図である。図２は、図１のII−II線断面図である。図３は、図１に示す厨房排水処理装置の右側面図である。図４は、図１に示す厨房排水処理装置のシンク部を分離した状態であり、グリーストラップ内の液体の流れを説明する平面図である。
【００１８】
図１〜図４に示すように、本実施形態の厨房排水処理装置１０は、シンク部２０、シンク部２０の下方に配置されているグリーストラップ部３０、シンク部２０の側方に備えられた厨芥減容処理部５０、そしてグリーストラップ部３０と厨芥減容処理部５０とを連結する連結管７０を有する。本実施形態の厨房排水処理装置１０では、シンク部２０とグリーストラップ部３０とが、平面視で重なり合っている。従って、本実施形態の厨房排水処理装置１０は、シンク部２０とグリーストラップ部３０とが平面視で重なり合っていない場合と比較して、少ない平面スペースに設置できる。
【００１９】
厨房排水処理装置１０は、上部に天板１１とバックガード１２とを有し、側部に化粧板１３を有する。また、厨房排水処理装置１０の下部には、厨房排水処理装置１０を支持する脚台１５が設けられ、脚台１５の一部には、補強材１４が設置されている。本実施形態の厨房排水処理装置１０は、下部に脚台１５を有するため、後述するＵ字管３９および固形物取出口４０から排水および固形物を容易に排出および／または回収できる。
【００２０】
シンク部２０は、厨房排水１を受ける水槽であり、略矩形状に開口している。シンク部２０は、底部に厨房排水１を排出する排水口２１を備え、シンク部２０の底面は排水口２１に向かって徐々に低くなる勾配を有している。シンク部２０の対向する内壁面の上端部には、それぞれ取手２２、２２が埋め込まれるように取り付けられている。この取手２２を引き出して持ち上げることによって、シンク部２０とグリーストラップ部３０とを分離できるようになっている。また、シンク部２０は排水口２１を閉じるための排水口栓２３を備える。さらにシンク部２０の側面上部には図示しないオーバーフロー孔が設けられている。排水口栓２３によって排水口２１を閉じた状態でシンク部２０内の厨房排水１が増え続けた場合は、このオーバーフロー孔を通じて、厨房排水１をグリーストラップ部３０に流入させる。このため、厨房排水１が厨房排水処理装置１０から溢れ出ることはない。
なお、オーバーフロー孔には、簡易の防臭機構を設けることが好ましい。防臭機構としては、例えば、自重閉鎖式のもの等が挙げられる。自重閉鎖式防臭機構とは、通常時には、自重でオーバーフロー孔を閉鎖し、厨房排水１の増水時には、オーバーフロー孔から脱離して、オーバーフロー孔を開放する封止部材を用いる機構である。これにより、通常時、後述するグリーストラップ部３０や油水分離トラップ３６から上がってくる臭いがオーバーフロー孔から漏れるのを防止できる。
【００２１】
グリーストラップ部３０は、厨房排水１を厨芥２（固体）と液体３とに分離して、厨芥２を回収する厨芥回収領域３１と、厨房排水１から分離された液体３をさらに、油脂分４と水分５とに分離する油水分離領域３４とを有する。グリーストラップ部３０は、さらに、油水分離領域３４で分離された水分５を外部に取り出す排水管３８と、バスケット３２を通過した微細な固形物６を取り出すための固形物取出口４０を備える。
図２において、グリーストラップ部３０は平坦な底面を有する。なお、グリーストラップ部３０の底面は平坦でなくてもよく、例えば、後述する油水分離トラップ３６に向かって徐々に低くなる勾配を有するものであってもよい。
【００２２】
厨芥回収領域３１は、バスケット３２と、バスケット３２を着脱可能に支持するバスケット支持部３３とを備える。
バスケット３２は、排水孔を有する多孔体であり、厨房排水１中の液体３を通過させることによって厨芥２を厨房排水１から分離して回収する。バスケット３２の材料としては、金網、パンチングメタル板、エキスパンドメタル板などを用いることができる。バスケット３２には、バスケット３２の排水口よりも孔径が小さいネット（図示せず）を被せて、厨芥２をネットと共に回収できるようにすることが好ましい。ネットは、生分解性樹脂材料で構成されていることが好ましい。生分解性樹脂材料で形成されたネットは厨芥２と共に微生物によって分解できるため、このネットと共にバスケット３２内の厨芥２を厨芥減容処理部５０に投入できる。生分解性樹脂材料としては、例えば、澱粉、セルロース、ポリ乳酸を用いることができる。
【００２３】
油水分離領域３４は、仕切板３５と、油水分離トラップ３６とを有する。
仕切板３５は、バスケット３２を通過した液体３が、仕切板３５とバスケット支持部３３との間を上方に向かって流れるように、液体３の流出方向を調整する機能を有する。液体３を上方に向かって流れるようにすることによって、相対的に比重が小さい液体３中の油脂分４は速やかに上方に、相対的に比重が大きい液体３中の水分５は下方に移動する。
【００２４】
油水分離トラップ３６は、筒状部材３７（バッフル）と、筒状部材３７の内側に配置された排水管３８とを備える。
筒状部材３７は、下方に開口部３７ａを有し、上部に図示しない通気孔を備えた円筒形状を有する部材である。比重が小さい油脂分４は筒状部材３７の開口部３７ａまで下方に移動することは困難であるので、筒状部材３７の開口部３７ａには、比重が大きい水分５が優位に取り込まれる。
【００２５】
排水管３８は、上方に開口部３８ａを有し、下方にＵ字管３９が備えられている。筒状部材３７に取り込まれた水分５は、開口部３８ａを通って、排水管３８に送られ、Ｕ字管３９を介して外部（下水管）に取り出される。Ｕ字管３９を介することによって、外部からグリーストラップ部３０への異臭の侵入を防止できる。
【００２６】
油水分離トラップ３６は、油水分離領域３４の中央に配置されていることが好ましい。この場合、液体３の流れが、油水分離領域３４の全方向に進むため、油水分離領域３４全体を有効に利用することができ、小型であっても油脂分４と水分５とを効率的に分離することできる（図４参照）。
【００２７】
固形物取出口４０は、グリーストラップ部３０の底部に配置されている。固形物取出口４０は、コック４０ａが備えられており、コック４０ａを開くことによって、底部に堆積した固形物６を、適宜外部に取り出せるようにされている。
【００２８】
厨芥減容処理部５０は、頂部に備えられた厨芥投入口５１と、内部に備えられた厨芥処理槽５３と、厨芥処理槽５３にて減容処理された厨芥２の処理残渣７を外部に排出する処理残渣排出口５９と、制御盤６０とを有する。厨芥投入口５１は、蓋５２が備えられている。
なお、厨芥投入口５１は、厨芥減容処理部５０の頂部及び／又は側部に設けることができる。本実施形態においては、頂部に設けた場合を説明するが、厨芥投入口５１を側部に設けた場合は、蓋が４５度程度に角度で開口するよう調整することが好ましい。この場合、バスケット３２で回収した厨芥の投入作業が比較的容易になる。
【００２９】
厨芥処理槽５３は、下部に備えられた多孔板５４と、多孔板の５４の上に配置された厨芥処理材５５と、厨芥処理材５５を撹拌するための撹拌具５６と、撹拌具５６を支持する回転軸５７とを備える。厨芥処理材５５は、厨芥２を分解可能な微生物が担持された担体とされている。微生物としては、例えば、好気性細菌を用いることができる。厨芥処理材５５は、多孔板５４の孔部５４ａを通過しないサイズとされている。撹拌具５６は、先端にへら部５６ａを有する。回転軸５７はモータ５８によって回転可能に支持されている。
【００３０】
好気性細菌を用いる場合は、好気性細菌の活性を促進するために、給水装置を付設して厨芥処理槽５３内に水を供給してもよい。また、好気性細菌の活性を促進するために、厨芥処理槽５３内に空気を取り込む吸気口を設けてもよい。吸気口は、例えば、厨芥投入口５１近傍に設けることができる。
厨芥処理槽５３は、取り外しが可能とされていることが好ましい。これにより、厨芥処理槽５３が故障した際には、厨芥処理槽５３のみを交換することが可能になる。
【００３１】
処理残渣排出口５９は、厨芥処理槽５３の多孔板５４の孔部５４ａを通過した微細な処理残渣７を外部に排出する。処理残渣排出口５９は下面５９ａが外部に向けて下方に傾斜した形状とされていて、処理残渣７が自重によって下面５９ａ上を移動することにより、外部に排出される。
また、処理残渣排出口５９内の処理残渣７を外部に押し流すために、給水装置を下面５９ａが傾斜した部分の上方に付設して厨芥処理槽５３内に水を供給してもよい。さらに、下面５９ａの形状を、上方から連結管７０に向けて幅が徐々に先細りになっている形状（テーパ状）としてもよい。これらにより、処理残渣排出口５９内の処理残渣７をより効率的に外部に排出される。
【００３２】
制御盤６０は、厨芥減容処理部５０の動作を管理する。制御盤６０は、例えば、モータ５８を制御して、撹拌具５６による厨芥処理材５５の撹拌速度を調整する。また、必要に応じて付設される給水装置を制御して、厨芥処理槽５３内あるいは処理残渣排出口５９内に供給される水の供給量を調整する。厨芥減容処理部５０はヒータ（不図示）を用いて内部温度を調整してもよい。微生物を用いて厨芥２を減容化処理する場合には、厨芥減容処理部５０の内部温度は、各微生物の活性にあわせて調整することが好ましく、例えば、２０℃〜４０℃が好ましい。ヒータの温度制御は、上記の制御盤６０により行うようにしてもよい。
【００３３】
連結管７０は、グリーストラップ部３０と厨芥減容処理部５０の処理残渣排出口５９とを連結する。連結管７０は、グリーストラップ部３０側の端部が、処理残渣７を厨芥回収領域３１のバスケット３２を受ける位置に配置されていて、減容化が不十分で、粗大な処理残渣７をバスケット３２により、回収できるようにされている。
【００３４】
次に、本実施形態の厨房排水処理装置１０を用いた厨房排水の処理方法について説明する。
【００３５】
まず、シンク部２０の排水口栓２３を外す。これによって、シンク部２０に貯留された厨房排水１は、排水口２１を介して、グリーストラップ部３０に送られる。
【００３６】
グリーストラップ部３０に送られた厨房排水１は、厨芥回収領域３１のバスケット３２で受けられる。バスケット３２により、厨房排水１に含まれる厨芥２が分離回収される。バスケット３２を通過した液体３（油脂分４と水分５）は、油水分離領域３４に送られる。油水分離領域３４において、液体３中の油脂分４と水分５は、仕切板３５とバスケット支持部３３との間を上方に向かって流れ、相対的に比重が小さい油脂分４が上方に、相対的に比重が大きい水分５が下方に貯留される。
【００３７】
油水分離領域３４の下方に貯留された水分５は、油水分離トラップ３６の筒状部材３７の開口部３７ａを通って油水分離トラップ３６の内部に送られる。油水分離トラップ３６の内部の水分５は、排水管３８の開口部３８ａを通って、外部に取り出される。また、バスケット３２を通過した微細な固形物６は、コック４０ａを開くことによって、固形物取出口４０より外部に取り出される。
【００３８】
バスケット３２にて回収した厨芥は、次のようにして減容処理される。
まず、シンク部２０の取手２２を持ち上げて、シンク部２０とグリーストラップ部３０とを分離して、グリーストラップ部３０を露出させる。そして、バスケット３２をバスケット支持部３３から取り出す。
【００３９】
次に、取り出したバスケット３２内の厨芥２を、厨芥減容処理部５０の厨芥投入口５１に投入する。厨芥投入口５１に投入された厨芥２は、厨芥処理槽５３に送られる。厨芥処理槽５３において、厨芥２と厨芥処理材５５とは撹拌具５６により撹拌され、厨芥２は厨芥処理材５５に担持されている微生物によって分解処理されて、減容化される。
【００４０】
減容化された厨芥２の処理残渣７は、多孔板５４の孔部５４ａを通過して、処理残渣排出口５９に落下する。処理残渣排出口５９に落下した処理残渣７は、自重によって処理残渣排出口５９の下面５９ａ上を移動して、外部に排出される。
【００４１】
外部に排出された処理残渣７は、連結管７０を介して、グリーストラップ部３０に送られる。グリーストラップ部３０に送られた処理残渣７は、厨芥回収領域３１のバスケット３２で受けられる。バスケット３２により、粗大な処理残渣７のみが回収される。バスケット３２により回収された処理残渣７は、厨芥２と共に、厨芥減容処理部５０で再度減容処理される。一方、バスケット３２を通過した微細な処理残渣７は、グリーストラップ部３０の底部に堆積された後、固形物６と共に固形物取出口４０より外部に取り出される。
【００４２】
また、シンク部２０とグリーストラップ部３０とを分離して、グリーストラップ部３０を露出させた際には、油水分離領域３４の上部に貯留されている油脂分４を回収する。回収した油脂分４は、例えば、異臭が拡散しないように、高密閉性の容器に入れて保管する。なお、シンク部２０とグリーストラップ部３０とを分離することで、グリーストラップ部３０側から連結管７０が視認可能となり、連結管７０の清掃が容易となる。
【００４３】
以上のような構成とされた本実施形態の厨房排水処理装置１０によれば、シンク部２０の下方にグリーストラップ部３０が配置されているので、装置サイズを小さくすることができる。また、取り出した厨芥２は、厨芥減容処理部５０にて速やかに減容化することができるので、厨芥２の腐敗による異臭の発生を抑制することができる。さらに、厨芥減容処理部５０の処理残渣排出口５９とグリーストラップ部３０とを接続する連結管７０を備えるので、作業者が処理残渣７に直接触れずに、処理残渣７をグリーストラップ部３０に送ることができる。またさらに、グリーストラップ部３０に送られた処理残渣７は、水分５の下方に堆積しているので、処理残渣７の異臭が外部に流出しにくい。このため、処理残渣７を比較的長期間保存することができる。そして、処理残渣７がある程度堆積されたときは、グリーストラップ部の固形物取出口４０を介して、厨房排水１に含まれる微細な固形物６と共にまとめて外部に取り出すことができる。従って、本実施形態の厨房排水処理装置１０は、小型化が容易な構成であって、厨房排水１に含まれている厨芥２や油脂分４が少量でも安定して処理することができる。
【００４４】
また、本実施形態の厨房排水処理装置１０では、連結管７０のグリーストラップ部３０側の端部が、処理残渣７を厨芥回収領域３１のバスケット３２が受ける位置に配置されているので、厨芥減容処理部５０による減容化が不十分な粗大な処理残渣７を厨芥回収領域３１で回収することができる。そして、回収した粗大な処理残渣を厨芥減容処理部５０において再度減容化することによって、厨芥２をより確実に減容化することができる。
【００４５】
以上、本発明の実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことが可能である。また、実施形態には、例えば当業者が容易に想定できるもの、実質的に同一のもの、均等の範囲のものなどが含まれる。
【００４６】
本実施形態の厨房排水処理装置１０では、厨芥減容処理部５０は、厨芥処理材５５に担持されている微生物を利用して厨芥２を分解する生分解型の処理装置であるが、これに限定されるものではない。例えば、厨芥減容処理部５０として、乾燥型の処理装置、焼却型の処理装置、乾燥と生分解と併用したハイブリッド型の処理装置などの厨芥の処理装置として利用されている各種の処理装置を用いてもよい。
【００４７】
また、本実施形態の厨房排水処理装置１０では、グリーストラップ部３０の底部に固形物取出口４０が備えられていて、グリーストラップ部３０の底部に堆積された固形物６を、固形物取出口４０を外部に取り出すことができるようにされているが、これに限定されるものではない。例えば、固形物取出口４０を設ける代わりに、ポンプを設置して、固形物６を汲み取るようにしてもよい。
【符号の説明】
【００４８】
１  厨房排水
２  厨芥
３  液体
４  油脂分
５  水分
６  固形物
７  処理残渣
１０  厨房排水処理装置
１１  天板
１２  バックガード
１３  化粧板
１４  補強材
１５  脚台
１０  厨房排水処理装置
２０  シンク部
２１  排水口
２２  取手
２３  排水口栓
３０  グリーストラップ部
３１  厨芥回収領域
３２  バスケット
３３  バスケット支持部
３４  油水分離領域
３５  仕切板
３６  油水分離トラップ
３７  筒状部材
３７ａ  開口部
３８  排水管
３８ａ  開口部
３９  Ｕ字管
４０  固形物取出口
４０ａ  コック
５０  厨芥減容処理部
５１  厨芥投入口
５２  蓋
５３  厨芥処理槽
５４  多孔板
５４ａ  孔部
５５  厨芥処理材
５６  撹拌具
５６ａ  へら部
５７  回転軸
５８  モータ
５９  処理残渣排出口
５９ａ  下面
６０  制御盤
７０  連結管
【図１】
2020151687.tif 000003
【図２】
2020151687.tif 000004
【図３】
2020151687.tif 000005
【図４】
2020151687.tif 000006